(57)【要約】【課題】ミシン本体が直立位置に復帰する際の衝撃を低減する。【解決手段】中間停止装置１０は、ミシン本体２に進退自在に支持され、先端部が外方に突出して直立位置の手前でミシン本体２の回動を制止させる前進位置と、ミシン本体２が直立位置に配置されることを妨げない後退位置と、前進位置より後方であって、ミシン本体２の直立位置側への回動により先端部がミシンテーブル３の開口部の内壁面に摺動して後退移動可能な中間位置とに移動可能な進退ピン１１と、進退ピン１１を前進位置方向に付勢する押圧ばね１９と、進退ピン１１の前進位置を規定する第１規制手段としてのストッパ１４と、進退ピン１１の中間位置を規定する第２規制手段としてのラチェット１５と、進退ピン１１が後退位置から前進位置に移動する際に、ラチェット１５による規制を解除して進退ピン１１を前進位置に案内する案内手段としての案内部材１６とを備えている。【選択図】図３
2007143941.tif 000002
【特許請求の範囲】
【請求項１】
ミシンベッド部が格納可能な開口部が形成されたミシンテーブルと、前記ミシンテーブルに回動自在に支持され、直立位置と倒置位置とに設置可能なミシン本体とを備え、前記直立位置で前記開口部に前記ミシンベッド部が収納されるミシンにおいて、
前記ミシン本体を前記倒置位置から前記直立位置に回動する際に、前記ミシン本体を、前記直立位置よりも手前の中間停止位置に停止する中間停止手段を備え、
前記中間停止手段は、
前記ミシン本体に進退自在に支持され、先端部が外方に突出して前記直立位置の手前でミシン本体の回動を制止させる前進位置と、ミシン本体が直立位置に配置されることを妨げない後退位置と、前記前進位置より後方であって、ミシン本体の直立位置側への回動により先端部がミシンテーブルの開口部の内壁面に摺動して後退移動可能な中間位置とに移動可能な進退ピンを備えることを特徴とするミシン。
【請求項２】
前記中間停止手段は、
前記進退ピンを前進位置方向に付勢する付勢手段と、
前記進退ピンの前進位置を規定する第１規制手段と、
前記進退ピンの中間位置を規定する第２規制手段と、
前記進退ピンが後退位置から前進位置に移動する際に、前記第２規制手段による規制を解除して前記進退ピンを前記前進位置に案内する案内手段と、
を備えることを特徴とする請求項１記載のミシン。
【発明の詳細な説明】
【技術分野】
【０００１】
本発明はミシンに関し、特に、ミシンテーブルに回動自在に支持されたミシン本体を有するミシンに関する。
【背景技術】
【０００２】
従来から、ミシン本体と該ミシン本体を載置するミシンテーブルとを回動可能に連結し、ミシン本体を倒して内部を露出可能に構成されたミシンが知られている（例えば、特許文献１参照）。
かかるミシンにおいては、例えば、部品交換やメンテナンスの際に、ミシン本体を倒して倒置位置に保持した状態で作業を行い、作業終了後には再びミシン本体を起こして直立位置に復帰させる構成となっている。
【特許文献１】特開平９−２８９６８号公報
【発明の開示】
【発明が解決しようとする課題】
【０００３】
しかしながら、上記従来のミシンにおいては、倒置位置にあるミシン本体を起こして直立位置に復帰させる際に、ミシンの頭部をある程度の高さまで起こした後はミシン本体の自重により直立位置に復帰する構成となっていた（図１３参照）。このため、作業者がミシン本体を支えながら静的に復帰させることが困難な場合には、ミシン本体が直立位置に復帰する際の衝撃が大きいという問題があった。
【０００４】
本発明は、直立位置に復帰する際の衝撃を低減することができるミシンを提供することをその目的とする。
【課題を解決するための手段】
【０００５】
前記課題を解決するために、請求項１記載の発明は、ミシンベッド部が格納可能な開口部が形成されたミシンテーブルと、前記ミシンテーブルに回動自在に支持され、直立位置と倒置位置とに設置可能なミシン本体とを備え、前記直立位置で前記開口部に前記ミシンベッド部が収納されるミシンにおいて、前記ミシン本体を前記倒置位置から前記直立位置に回動する際に、前記ミシン本体を、前記直立位置よりも手前の中間停止位置に停止する中間停止手段を備え、前記中間停止手段は、前記ミシン本体に進退自在に支持され、先端部が外方に突出して前記直立位置の手前でミシン本体の回動を制止させる前進位置と、ミシン本体が直立位置に配置されることを妨げない後退位置と、前記前進位置より後方であって、ミシン本体の直立位置側への回動により先端部がミシンテーブルの開口部の内壁面に摺動して後退移動可能な中間位置とに移動可能な進退ピンを備えることを特徴とするミシンである。
【０００６】
請求項２記載の発明は、請求項１記載のミシンにおいて、前記中間停止手段は、前記進退ピンを前進位置方向に付勢する付勢手段と、前記進退ピンの前進位置を規定する第１規制手段と、前記進退ピンの中間位置を規定する第２規制手段と、前記進退ピンが後退位置から前進位置に移動する際に、前記第２規制手段による規制を解除して前記進退ピンを前記前進位置に案内する案内手段と、を備えることを特徴とする。
【発明の効果】
【０００７】
請求項１記載の発明によれば、進退ピンを有する中間停止手段を備えることにより、ミシン本体を倒置位置から直立位置に回動する際には、ミシン本体を、直立位置よりも手前の中間停止位置に停止することができる。また、ミシン本体が中間停止位置に停止された後、進退ピンが中間位置に移動された場合には、ミシン本体の直立位置側への回動により進退ピンの先端部がミシンテーブルの開口部の内壁面に沿って摺動して後退移動を行う。これにより、中間停止位置におけるミシン本体の停止状態が解除され、ミシン本体が直立位置に移動される。つまり、ミシン本体を倒置位置から直立位置に回動する際には、ミシン本体が一度中間停止位置に停止された後に直立位置に移動されることとなる。従って、ミシン本体が倒置位置から直立位置に復帰する際の衝撃を効果的に低減することができる。
【０００８】
請求項２記載の発明によれば、付勢手段により前進位置方向に付勢された進退ピンは、第１規制手段によってその前進位置が規定され、第２規制手段によってその中間位置が規定される。また、進退ピンが後退位置から前進位置に移動する際には、案内手段によって第２規制手段による規制が解除され、進退ピンが前進位置に案内される。これにより、請求項１記載の発明と同様の効果を得ることができる。
【発明を実施するための最良の形態】
【０００９】
以下、本発明の実施の形態を図１〜図１２に基づいて詳しく説明する。
本実施形態では、ミシンとして本縫いミシンを例に説明する。
ここで、後述するミシンテーブル３の上面に垂直な方向をＺ軸方向（上下方向）とし、これと直交するミシンアーム部（図示略）の長手方向をＹ軸方向（前後方向）とし、Ｚ軸方向とＹ軸方向の両方に直交する方向をＸ軸方向（左右方向）と定義する。
【００１０】
（実施の形態の全体構成）
図１は本実施形態たるミシン１の要部構成を示す側面図である。
図１に示すように、ミシン１は、縫製を行う各機構部を格納し、直立位置（図１参照）と倒置位置（図２参照）とに設置可能なミシン本体２と、このミシン本体２を載置するミシンテーブル３と、ミシン本体２を倒置位置から直立位置に回動する際に、このミシン本体２を、直立位置よりも手前の中間停止位置（図３参照）に停止する中間停止手段としての中間停止装置１０と、を備えている。
なお、ミシン１は、ミシン動作の駆動源となるミシンモータ（図示省略）、該ミシンモータと連結され回転自在に設けられた上軸（図示略）、上軸の回転駆動力を上下動に変換して縫い針を上下に駆動する針駆動機構（図示省略）、針落ち位置近傍において被縫製物の浮き上がりを防止する布押さえ（図示略）、縫い針による縫製動作の直後に布に縫着された上糸Ｔを引き上げることで当該布に形成された縫い目を締結する図示しない天秤機構、被縫製物たる布を搬送する布送り機構（図示省略）、布送り機構に駆動力を伝達する下軸（図示省略）等を備えており、縫製を行うための一般的な各機能が設けられているが、これらは従来周知の構成と同様であるため本実施形態では詳述しない。
【００１１】
ミシンテーブル３は、その上部にミシン本体２を載置する載置台であって、上面がＸＹ平面と平行に配設されている。このミシンテーブル３の上面には、ミシン本体２の下部を構成するミシンベッド部２ａ（後述する）を収納する開口部３ａが形成されている。
【００１２】
開口部３ａの下方側には、ミシンベッド部２ａの下部を覆い、ミシン１の各機構部を潤滑するオイルや部品の落下、さらにはミシンベッド部２ａ内に配設された各機構部への作業者の接触を防止するためのアンダーカバー５が設けられている。
また、ミシンテーブル３の上面であって、上記開口部３ａの右側近傍には支持部材７が設けられている。この支持部材７は、ミシンテーブル３の上面に対してほぼ垂直に立設されており、後述するミシン本体２の倒置位置を規定し、該倒置位置に配置されたミシン本体２を支持することが可能となっている。
【００１３】
ミシン本体２は、上記ミシンテーブル３上に載置されており、本縫い動作（縫製動作）を行う直立位置（図１参照）と、当該直立位置から倒置方向Ａに沿って布送り方向下流側、すなわちＸ軸方向の一端側（図１における右側）に傾倒された倒置位置（図２参照）とに移動され、各位置に設置された状態で支持されることが可能となっている。
【００１４】
このミシン本体２は、当該ミシン本体２の下部をなすミシンベッド部２ａと、ミシンベッド部２ａの一端（後端）側から上方に立設された縦胴部２ｂと、縦胴部２ｂの上部からミシンベッド部２ａとほぼ平行に延設されたミシンアーム部（図示略）とを備え、全体視にて概略コ字状に形成されている。
【００１５】
図示しないミシンアーム部は、その長手方向がＹ軸方向に沿って配設されており、当該ミシンアーム部の内部には、図示しないミシンモータから縫い針を上下に駆動するための駆動力を伝達する上軸が回動自在に設けられている。上軸の一端（後端）は、縦胴部２ｂの後端側から外部に延出されており、当該上軸の一端にはプーリ４が連結されている。
【００１６】
ミシンベッド部２ａは、その長手方向が上記ミシンアーム部と同様にＹ軸方向に沿って配設されており、布送り方向下流側、すなわちＸ軸方向の一端側（図１における右側）が、連結部６を介してミシンテーブル３の上部に回動自在に連結されている。
ミシンベッド部２ａの内部には、縫い針の上下動と協働して縫製を行う釜機構（図示略）や、該釜機構に駆動力を伝達する下軸（図示略）等が配設されている。
そして、ミシン本体２が倒置位置（図２参照）に配置された際には、縦胴部２ｂの一側（図１における右側）のうち、上下方向のほぼ中央部が上述した支持部材７の上端部に当接され、ミシン本体２が傾倒した状態で該倒置位置に保持される構成となっている。
【００１７】
中間停止装置１０は、ミシン本体２に進退自在に支持され、先端部が外方に突出して直立位置の手前でミシン本体２の回動を制止させる前進位置と、ミシン本体２が直立位置に配置されることを妨げない後退位置と、前進位置より後方であって、ミシン本体２の直立位置側への回動により先端部がミシンテーブル３の開口部の内壁面に摺動して後退移動可能な中間位置とに移動可能な進退ピン１１を備えている。また、中間停止装置１０は、進退ピン１１を前進位置方向に付勢する付勢手段としての押圧ばね１９と、進退ピン１１の前進位置を規定する第１規制手段としてのストッパ１４と、進退ピン１１の中間位置を規定する第２規制手段としてのラチェット１５と、進退ピン１１が後退位置から前進位置に移動する際に、ラチェット１５による規制を解除して進退ピン１１を前進位置に案内する案内手段としての案内部材１６と、を備えている。
【００１８】
進退ピン１１は、長尺な板状の部材であって、ミシンベッド部２ａの下方に配設され、縦胴部２ｂの立設方向及びミシンアーム部の長手方向の何れにも直交する方向（ミシン本体２が直立位置にある状態においてＸ軸方向）に沿って進退移動可能に設けられている（図１及び図６参照）。
かかる進退ピン１１の先端（図１における左端）は円弧状に形成されている。また、進退ピン１１の長手方向における略中央部の下端には、下方に向けて突設された下部突起１２が形成されている（図１１及び図１２参照）。この下部突起１２は、進退ピン１１の前進方向Ｃ（図２、図９及び図１０参照）側の端縁がほぼ垂直な垂直部１２ａとなっている。一方、下部突起１２の後方側の端縁は、傾斜部１２ｂとなっている（図５及び図６参照）。
【００１９】
また、進退ピン１１の長手方向における略中央部であって上記下部突起１２よりも後方側の側面には、Ｙ軸方向に突設された側面突起１３が形成されている。
かかる進退ピン１１は、後述する押圧ばね１９の付勢力によって前進方向Ｃに向かって押し出され、下部突起１２がストッパ１４に当接する最前進位置（前進位置）に到達した状態で、上記円弧部分がミシンテーブル３の開口部３ａの外側まで突出するようになっている。
【００２０】
押圧ばね１９は、進退ピン１１の後方（図１における右端側）に配設されている。
かかる押圧ばね１９の一端（左端）は、上記進退ピン１１の右端に当接されており、押圧ばね１９の他端（右端）は枠体２０の内壁に当接されている。
この押圧ばね１９は、進退ピン１１と同様に、ミシン本体２の縦胴部２ｂの立設方向及びミシンアーム部の長手方向の何れにも直交する方向（ミシン本体２が直立位置にある状態においてＸ軸方向）に沿って伸縮自在に設けられている。
また、押圧ばね１９は、進退ピン１１が上述した前進位置、中間位置及び後退位置の何れに配置された場合であっても、自然長よりも短く圧縮された状態となるようにその長さが設定されている。つまり、押圧ばね１９は、その左端に当接された進退ピン１１を、前進方向Ｃ側に向けて常時付勢した状態となっている。
【００２１】
案内部材１６は、上述した進退ピン１１とほぼ同程度の高さ及び厚さを有する板材であって、進退ピン１１の側面（図６における紙面手前側の面）に沿って並設されている。
この案内部材１６の長手方向のほぼ中央部には、当該案内部材１６をＹ軸方向に貫通し、進退ピン１１の進退移動方向に長く形成された長穴部１８が設けられている。そして、長穴部１８には、上述した進退ピン１１の側面突起１３が摺動自在に挿入されている（図６乃至図８参照）。すなわち、案内部材１６は、その長穴部１８内に側面突起１３が係合した状態において、進退ピン１１と摺動して当該進退ピン１１の進退移動方向（前進方向Ｃ及び後退方向Ｄ）に対して進退移動可能に設けられている。
【００２２】
案内部材１６の先端（左端）下部には、下部突起１７が設けられている。この下部突起１７は、その左側端縁及び右側端縁が、何れも案内部材１６の下端縁と鈍角をなす傾斜部１７ａ，１７ｂとなっている。
そして、長穴部１８は、側面突起１３が当該長穴部１８内の最右端側に配置された状態において、後述する下部突起１７の傾斜部１７ｂが、進退ピン１１の下部突起１２の垂直部１２ａより前方に位置するように構成されている。
下部突起１７の左側の傾斜部１７ａは、側面突起１３が長穴部１８の最左端側に配置された状態において、相互の下部突起１７，１２が互いに重合し、且つ、当該傾斜部１７ａが進退ピン１１の下部突起１２の垂直部１２ａよりも左側（前進方向Ｃ側）に配置されるように形成されている（図６参照）。
【００２３】
そして、案内部材１６は、押圧ばね１９の付勢力により進退ピン１１が前進方向Ｃに向かって移動する際に、長穴部１８の最左端に側面突起１３が当接することで進退ピン１１と供に前進方向Ｃ側に向かって移動され（図９及び図１０参照）、また、進退ピン１１が後退方向Ｄに向かって移動する際に、長穴部１８の最右端に側面突起１３が当接することで進退ピン１１と供に後退方向Ｄに向かって移動される（図１１及び図１２参照）。つまり、案内部材１６は、前進方向Ｃ及び後退方向Ｄに対する進退移動において、進退ピン１１に追従して移動される従動体となっている。
【００２４】
ストッパ１４は、前進方向Ｃにおいて上述した垂直部１２ａの移動方向の延長線上に配置されており、進退ピン１１が前進方向Ｃに移動した際に、その内側（図１及び図６における右側）の壁面部において垂直部１２ａと係合し、進退ピン１１の進退移動方向（前進方向Ｃ及び後退方向Ｄ）における最前進位置、つまり、本実施形態における進退ピン１１の前進位置を規定する第１規制部材として設けられている。
【００２５】
ラチェット１５は、進退ピン１１及び案内部材１６の下方に配設されており、そのＹ軸方向の厚さが、上記進退ピン１１及び案内部材１６を重ねた状態よりも厚く形成されている（図８参照）。このため、進退ピン１１及び案内部材１６にそれぞれ設けられた下部突起１２，１７の双方と係合することが可能となっている。
かかるラチェット１５は、上記ストッパ１４よりも進退ピン１１の進退移動方向において後方側に配置されており、下部に連結されたばね２１を介して中間停止装置１０内部の底面に対して下方に退避可能に支持されている。また、ラチェット１５の上部には突起部１５ａが形成されている。
突起部１５ａは、進退ピン１１及び案内部材１６が後退位置に配置されている状態においては、下部突起１２及び下部突起１７よりも進退移動方向前方側すなわち、図６における左側に位置するように配置されている。また、突起部１５ａは、進退ピン１１及び案内部材１６が前進方向Ｃに向かって前進移動を行った際に、当該突起部１５ａが下部突起１２及び下部突起１７の移動方向の延長線上に配置されるようになっている。
このラチェット１５は、本実施形態における進退ピン１１の中間位置を規定する第２規制部材として設けられている。
【００２６】
次に、本実施形態たるミシン１の作用について、図面を参照して詳しく説明する。
まず、ミシン本体２が直立位置に配置されている状態（例えば、縫製時）においては、進退ピン１１は案内部材１６と供に後退位置に配置され、押圧ばね１９が最も圧縮された待機状態となる（図１及び図６参照）。かかる待機状態では、進退ピン１１の左端がアンダーカバー５の内壁面に当接され、前進方向Ｃへの移動が規制されているため、進退ピン１１及び案内部材１６が後退位置に保持される。また、下部突起１２及び下部突起１７は、何れもラチェット１５の突起部１５ａよりも進退移動方向における後方側（図１及び図６における右側）に配置される。
【００２７】
次に、例えば、ミシン１内部のメンテナンスや部品交換を行う際には、倒置方向Ａに沿って連結部６を中心にミシン本体２を傾け、縦胴部２ａが支持部材７の上端に当接される位置すなわち倒置位置まで移動する。このとき、ミシン本体２を傾けて、当該ミシン本体２の下部すなわちミシンベッド部２ａとミシンテーブル３の開口部３ａとの間に隙間が形成されるのとほぼ同時に進退ピン１１の左端部の規制が解除され、押圧ばね１９の付勢力により進退ピン１１が前進位置まで突出される（図２及び図１０参照）。そして、進退ピン１１は、前進位置に突出した状態で保持される。
【００２８】
ここで、進退ピン１１が後退位置から前進位置まで移動（突出）する際の中間停止装置１０の動作についてさらに詳しく説明する。
倒置方向Ａに向かうミシン本体２の回動により、進退ピン１１の左端部の規制が解除されると、押圧ばね１９の付勢力により進退ピン１１が前進方向Ｃに向かって移動される。その際、進退ピン１１の側面突起１３が案内部材１６の長穴部１８の左端側に当接され、進退ピン１１と供に案内部材１６もまた前進方向Ｃに向かって移動される。
側面突起１３が長穴部１８の最左端側に当接された状態においては、下部突起１７の傾斜部１７ａが下部突起１２の垂直部１２ａよりも左側（前進方向Ｃにおける前進方向）に配置されるため、これら下部突起１２及び下部突起１７の移動方向の前方（図６における左側）に位置するラチェット１５の突起部１５ａには案内部材１７の傾斜部１７ａが当接される（図９参照）。
上端の突起部１５ａに傾斜部１７ａが当接され、さらに、押圧ばね１９の付勢力で下部突起１７が前進方向Ｃに移動することで、ラチェット１５が下方側に押し付けられる。すなわち、案内部材１６の下部突起１７（特に、傾斜部１７ａ）によってラチェット１５が円滑に下方側に退避される。これにより、案内部材１６と供に進退ピン１１の下部突起１２がラチェット１５の上部を通過することを可能としている。
そして、下部突起１２の垂直部１２ａがストッパ１４に当接されると、前進方向Ｃに向かう進退ピン１１の移動が規制される。つまり、進退ピン１１が前進位置に配置された状態となる（図１０参照）。ラチェット１５は、ばね２１の弾性によってもとの位置に復帰される。
【００２９】
ここで、ミシン本体２が直立位置からある程度傾いた状態においては、押圧ばね１９によって常に進退ピン１１が前進位置に配置された状態を維持するように付勢される。従って、例えば、倒置位置におけるミシン１のメンテナンスの終了後、ミシン本体２を復帰方向Ｂに回動して直立位置に復帰する際には、直立位置の手前の位置すなわち中間停止位置で進退ピン１１がミシンテーブル３の開口部３ａの端縁と係合される（図３参照）。つまり、ミシン本体２を直立位置に復帰させる際には、一旦、直立位置よりも手前の中間停止位置に停止されることとなる。そして、かかる中間停止位置では、ミシンベッド部２ａとミシンテーブル３の開口部３ａとの間に、進退ピン１１の高さ（幅）に応じた隙間が形成されることとなる。
【００３０】
次に、中間停止位置に停止したミシン本体２を僅かに傾けて、ミシン１の作業者により、押圧ばね１９の付勢力に抗して進退ピン１１が後退方向Ｄに沿って押し込まれると、下部突起１２の傾斜部１２ｂが、図１０における左側からラチェット１５の突起部１５ａに当接される。また、側面突起１３は、長穴部１８内に沿って後退方向Ｄに移動されるため、案内部材１６は前方に維持され、進退ピン１１のみが後退方向Ｄに移動される。そして、傾斜部１２ｂによりラチェット１５が下方に退避され、下部突起１２が突起部１５ａを通過する。
ここで、下方に退避したラチェット１５がばね２１の弾性によってもとの位置に復帰すると、突起部１５ａと垂直部１２ａとが係合され、前進方向Ｃに対する進退ピン１１の移動が規制される。つまり、進退ピン１１が中間位置に配置された状態となる（図４及び図１１参照）。
【００３１】
この中間位置では、前進方向Ｃに向かう進退ピン１１の移動は規制された状態となるが、後退方向Ｄに向かう移動には規制がなく、押圧ばね１９の付勢力に抗する力が付加されると、進退ピン１１は後退方向Ｄに移動される。
また、この中間位置では、進退ピン１１の左端すなわち、円弧の曲線部がミシンテーブル３の開口部３ａの端縁と係合される配置となる。
つまり、進退ピン１１が中間位置に配置された状態で、ミシン本体２を直立位置に向けて回動すると、進退ピン１１の左端が、その曲線部によって開口部３ａの端縁から当該開口部３ａの内壁面に沿って摺動され、ミシン本体２が直立位置に配置される。このとき、進退ピン１１は、先端部の摺動により押圧ばね１９の付勢力に抗するミシンの自重によって後退方向Ｄに押し戻される（図５参照）。
そして、進退ピン１１が、摺動により中間位置からさらに後退方向Ｄに向かって押し戻されると、長穴部１８の最右端に当接された側面突起１３により、進退ピン１１と供に案内部材１６が後退方向Ｄに向かって移動され（図１２参照）、後退位置に配置されることとなる。
【００３２】
（実施形態の効果）
以上のように、本実施形態たるミシン１によれば、進退ピン１１を有する中間停止装置１０を備えることにより、ミシン本体２を倒置位置から直立位置に回動する際には、ミシン本体２を、直立位置よりも手前の中間停止位置に停止することができる。つまり、ミシン本体２を倒置位置から直立位置に回動する際には、ミシン本体２を、一度、中間停止位置に停止した後で直立位置に移動することができる。従って、ミシン本体２が倒置位置から直立位置に復帰する際の衝撃を効果的に低減することができる。
【００３３】
なお、進退ピン１１は、その先端（図１における左端）が円弧状となるように形成しているが、当該進退ピン１１の先端（特に、先端の下方側）を直線的な傾斜部とすることでミシン本体２を直立位置に移動する構成としてもよい。
また、進退ピン１１及び案内部材１６は、本実施形態においては板状としているが、必ずしも板状に限定されるものではなく、例えば、棒状であってもよい。
【図面の簡単な説明】
【００３４】
【図１】本実施形態におけるミシン（直立位置）を示す側面図である。
【図２】本実施形態におけるミシン（倒置位置）を示す側面図である。
【図３】本実施形態におけるミシン（中間停止位置）を示す側面図である。
【図４】本実施形態における安全装置の進退ピンを中間位置に押し戻した状態を示す側面図である。
【図５】本実施形態におけるミシン本体が中間停止位置から直立位置に復帰する際の側面図である。
【図６】本実施形態におけるミシンの安全装置（後退位置）を示す側面図である。
【図７】本実施形態におけるミシンの安全装置（後退位置）を示す底面図である。
【図８】本実施形態におけるミシンの安全装置（後退位置）を示す正面図である。
【図９】本実施形態におけるミシンの安全装置の突出動作を示す説明図である。
【図１０】本実施形態におけるミシンの安全装置（前進位置）を示す側面図である。
【図１１】本実施形態におけるミシンの安全装置（中間位置）を示す説明図である。
【図１２】本実施形態におけるミシンの安全装置の後退動作を示す説明図である。
【図１３】従来のミシンの安全装置を示す側面図である。
【符号の説明】
【００３５】
１  ミシン
２  ミシン本体（ミシン頭部）
３  ミシンテーブル
４  プーリ
５  アンダーカバー
６  連結部
７  支持部材
１０  安全装置（中間停止手段）
１１  進退ピン
１２  下部突起
１２ａ  垂直部
１２ｂ  傾斜部
１３  側面突起
１４  ストッパ（第１規制手段）
１５  ラチェット（第２規制手段）
１５ａ  突起部
１６  案内部材（案内手段）
１７  案内部
１８  長穴部
１９  押圧ばね（付勢手段）
２０  枠体
２１  ばね
Ａ    倒置方向
Ｂ    復帰方向
Ｃ    前進方向
Ｄ    後退方向
【図１】
2007143941.tif 000003
【図２】
2007143941.tif 000004
【図３】
2007143941.tif 000005
【図４】
2007143941.tif 000006
【図５】
2007143941.tif 000007
【図６】
2007143941.tif 000008
【図７】
2007143941.tif 000009
【図８】
2007143941.tif 000010
【図９】
2007143941.tif 000011
【図１０】
2007143941.tif 000012
【図１１】
2007143941.tif 000013
【図１２】
2007143941.tif 000014
【図１３】
2007143941.tif 000015